(57)【要約】      （修正有）【課題】蓄冷材の内容物の蓄冷剤を環境負荷のない形で処分できるようなもの、もし可能であれば、それを別の用途で消費できるような物にする。【解決手段】手を加えていない海洋深層原水を無菌状態でプラスチック製の袋に詰め、密封したものを蓄冷材として提供する。【選択図】なし【実用新案登録請求の範囲】
【請求項１】
海洋深層原水をプラスチック製フィルムの袋に密封した物で、凍らせて使用する海洋深層原水使用蓄冷材。
【請求項２】
プラスチック製フィルムがポリエチレン・ナイロン・アルミ蒸着の３層ラミフィルムであることを特徴とする請求項１記載の海洋深層原水使用蓄冷材。
【考案の詳細な説明】
【技術分野】
【０００１】  食物輸送などの時に保冷のために使用する蓄冷材。
【背景技術】
【０００２】  生鮮食品の流通網の発達に伴い遠隔地からの輸送に欠かせない物が蓄冷材である。単純に水を凍らせた氷は昔からある蓄冷材であるが、溶けても水が流れ出さないようにプラスチック製の袋に密封したものや、仮に袋に穴が穿いても液体が流出しないように水を高分子ポリマーに含浸させたものなどが色々と考案されてきた。【０００３】  しかし蓄冷材が普及し大量に出回るようになるにつけ、それの廃棄あるいは処理方法が問題になってきた。資源という観点から考えると、蓄冷材を回収して何度でも繰り返し使用するのが望ましいことであるが、経済的な点から現実的にはワンウェイの使用方法を採らざるをえない。【０００４】  蓄冷材の内容物の蓄冷剤を生分解性のものにすることは可能であるが、それをどのように廃棄すればよいのか具体的な方策はない。あるいは焼却処分もできないわけではないが、９０数％が水なのでエネルギー的には大きな無駄になる。
【考案の開示】
【考案が解決しようとする課題】
【０００５】  蓄冷材の内容物の蓄冷剤を環境負荷のない形で処分できるようなものにする。できれば、それを別の用途で消費できるような物にする。
【課題を解決するための手段】
【０００６】  鋭意上記課題を満足する蓄冷剤を探していたところ、タラソテラピーとして最近医療や美容方面などで注目されている海洋深層水がそれら条件を満たす要件を備えていることが解った。従って手を加えていない海洋深層原水を無菌状態でプラスチック製の袋に詰め、密封したものを蓄冷材として提供する。
【考案の効果】
【０００７】  海水に含まれるミネラル分が水の凝固点降下を起こして、通常の蓄冷材より低い温度を維持することができ、特に海水生息の魚介類の蓄冷材として使用した場合、万が一袋に穴が穿いて液が漏洩しても、もともと海水なので魚介類への影響は少ない。【０００８】  蓄冷材としての使用が終わった袋の内容物を１袋ないし２袋分浴槽に入れ、タラソテラピー的癒し効果を期待できるものとして使用できる。もちろん使用せずに内容物をそのまま下水に流したとしても環境に特に負荷を与える事はない。
【考案を実施するための最良の形態】
【０００９】  深海から採取した海洋深層水に手を加えることなく、原水のまま無菌状態でプラスチックフィルム製の袋に密封し、蓄冷材として提供する。
【実施例】
【００１０】  前述のように海洋深層原水を例えば２００ｃｃとか５００ｃｃを採り、紫外線による劣化を防ぐためポリエチレン・ナイロン・アルミ蒸着の３層ラミフィルム製の袋に入れて密封し、蓄冷材として使用する。
【産業上の利用可能性】
【００１１】  以上述べてきたように、蓄冷材としては生鮮食品流通に対し優れた性質を持ち、使用後の処理に関しては、入浴剤としても使用でき、内容物を下水に流しても環境に負荷を与えないので新しいタイプの蓄冷材として安心して提供できる。
0003110185.tif 000002
【手続補正書】
【提出日】平成16年8月6日(2004.8.6)
【手続補正１】
【補正対象書類名】実用新案登録請求の範囲
【補正対象項目名】全文
【補正方法】変更
【補正の内容】
【実用新案登録請求の範囲】
【請求項１】
プラスチック製フィルムの袋、幅１０ｃｍ〜１５ｃｍ、長さ１５ｃｍ〜２０ｃｍの中に海洋深層原水を２００ｇ〜５００ｇ入れて袋の端を約１ｃｍ熱封止して密封した、板状に凍らせて使用する海洋深層原水使用蓄冷材。
【請求項２】
プラスチック製フィルムがポリエチレン・ナイロン・アルミ蒸着の３層ラミフィルムであることを特徴とする請求項１記載の海洋深層原水使用蓄冷材。
【手続補正２】
【補正対象書類名】明細書
【補正対象項目名】全文
【補正方法】変更
【補正の内容】
【考案の詳細な説明】
【技術分野】
【０００１】  食物輸送などの時に保冷のために使用する蓄冷材。
【背景技術】
【０００２】  生鮮食品の流通網の発達に伴い遠隔地からの輸送に欠かせない物が蓄冷材である。単純に水を凍らせた氷は昔からある蓄冷材であるが、溶けても水が流れ出さないようにプラスチック製の袋に密封したものや、仮に袋に穴が穿いても液体が流出しないように水を高分子ポリマーに含浸させたものなどが色々と考案されてきた。【０００３】  しかし蓄冷材が普及し大量に出回るようになるにつけ、それの廃棄あるいは処理方法が問題になってきた。資源という観点から考えると、蓄冷材を回収して何度でも繰り返し使用するのが望ましいことであるが、経済的な点から現実的にはワンウェイの使用方法を採らざるをえない。【０００４】  蓄冷材の内容物の蓄冷剤を生分解性のものにすることは可能であるが、それをどのように廃棄すればよいのか具体的な方策はない。あるいは焼却処分もできないわけではないが、９０数％が水なのでエネルギー的には大きな無駄になる。
【考案の開示】
【考案が解決しようとする課題】
【０００５】  蓄冷材の内容物の蓄冷剤を環境負荷のない形で処分できるようなものにする。できれば、それを別の用途で消費できるような物にする。
【課題を解決するための手段】
【０００６】  鋭意上記課題を満足する蓄冷剤を探していたところ、タラソテラピーとして最近医療や美容方面などで注目されている海洋深層水がそれら条件を満たす要件を備えていることが解った。従って手を加えていない海洋深層原水を無菌状態でプラスチック製の袋に詰め、密封したものを蓄冷材として提供する。
【考案の効果】
【０００７】  海水に含まれるミネラル分が水の凝固点降下を起こして、通常の蓄冷材より低い温度を維持することができ、特に海水生息の魚介類の蓄冷材として使用した場合、万が一袋に穴が穿いて液が漏洩しても、もともと海水なので魚介類への影響は少ない。【０００８】  蓄冷材としての使用が終わった袋の内容物を１袋ないし２袋分浴槽に入れ、タラソテラピー的癒し効果を期待できるものとして使用できる。もちろん使用せずに内容物をそのまま下水に流したとしても環境に特に負荷を与える事はない。
【考案を実施するための最良の形態】
【０００９】  深海から採取した海洋深層水に手を加えることなく、原水のまま無菌状態でプラスチックフィルム製の袋に密封し、蓄冷材として提供する。
【実施例】
【００１０】  海洋深層原水を例えば２００ｃｃ採り、紫外線による劣化を防ぐためポリエチレン・ナイロン・アルミ蒸着３層ラミフィルム製の、幅１０ｃｍ長さ１５ｃｍの袋１の中に入れ、袋の端２を１ｃｍ程熱封止して密封し、凍らせて蓄冷材として使用する。凍らせると厚さ２ｃｍ弱の板状になる。
【産業上の利用可能性】
【００１１】  以上述べてきたように、蓄冷材としては生鮮食品流通に対し優れた性質を持ち、使用後の処理に関しては、入浴剤としても使用でき、内容物を下水に流しても環境に負荷を与えないので新しいタイプの蓄冷材として安心して提供できる。
【図面の簡単な説明】
【００１２】
【図１】海洋深層原水使用の蓄冷材の斜視図
【符号の説明】
【００１３】１  ３層ラミフイルム製の袋
２  袋の端
【手続補正３】
【補正対象書類名】図面
【補正対象項目名】全図
【補正方法】変更
【補正の内容】
【図１】
0003110185.tif 000003